(57)【要約】【課題】  表示部の未使用時におけるグラフィックスコントローラによる消費電力を考慮した情報処理装置および該情報処理装置にて実行される消費電力制御方法を提供する。【解決手段】  表示ユニットが本体に対して開放位置から閉塞位置に移行した場合、グラフィックスコントローラの動作モードを、グラフィックスコントローラの動作が保証される電圧のうち最低電圧をグラフィックスコントローラに供給する動作モードに移行させる。【選択図】  図３
2007034971.tif 000002
【特許請求の範囲】
【請求項１】
本体と、
前記本体に回動可能に接続され表示部を有する表示ユニットと、
前記表示部に表示されるイメージを生成するグラフィックスコントローラと、
前記表示ユニットが前記本体に対して開放位置から閉塞位置に移行した場合、前記グラフィックスコントローラの動作モードを、前記グラフィックスコントローラの動作が保証される電圧のうち最低電圧を前記グラフィックスコントローラに供給する動作モードに移行させる移行手段と、
を具備することを特徴とする情報処理装置。
【請求項２】
前記最低電圧をグラフィックスコントローラに供給する動作モードは、ユーザの設定操作により設定することが不可能な動作モードであることを特徴とする請求項１記載の情報処理装置。
【請求項３】
前記表示ユニットが前記本体に対して開放位置から閉塞位置に移行した場合、当該情報処理装置に外部ディスプレイ装置が接続されているか否かを判別する手段と、
前記移行手段は、当該情報処理装置に前記外部ディスプレイが接続されている場合、前記グラフィックスコントローラの動作モードを、前記最低電圧をグラフィックスコントローラに供給する動作モードに移行させないことを特徴とする請求項１記載の情報処理装置。
【請求項４】
前記表示ユニットが前記本体に対して開放位置から閉塞位置に移行した場合、前記表示ユニットが前記本体に対して開放位置にある時の前記グラフィックスコントローラの動作モードを記憶する記憶手段をさらに具備することを特徴とする請求項１記載の情報処理装置。
【請求項５】
前記最低電圧をグラフィックスコントローラに供給する動作モードは、前記表示ユニットが前記本体に対して開放位置にある時に前記グラフィックスコントローラに供給される動作周波数の値よりも小さい値を有する動作周波数が前記グラフィックスコントローラに供給される動作モードであることを特徴とする請求項１記載の情報処理装置。
【請求項６】
前記移行手段は、前記表示ユニットが前記本体に対して閉塞位置から開放位置に移行した場合、前記最低電圧をグラフィックスコントローラに供給する動作モードから前記記憶手段によって記憶されている動作モードに移行させることを特徴とする請求項４記載の情報処理装置。
【請求項７】
本体と、前記本体に回動可能に接続され表示部を有する表示ユニットと、前記表示部に表示されるイメージを生成するグラフィックスコントローラとを具備する情報処理装置にて実行される消費電力制御方法において、
前記表示ユニットが前記本体に対して開放位置から閉塞位置に移行したことを検知し、
前記グラフィックスコントローラの動作モードを、前記グラフィックスコントローラの動作が保証される電圧のうち最低電圧を前記グラフィックスコントローラに供給する動作モードに移行させることを特徴とする消費電力制御方法。
【請求項８】
前記最低電圧をグラフィックスコントローラに供給する動作モードは、ユーザによる設定操作により設定することが不可能な動作モードであることを特徴とする請求項７記載の消費電力制御方法。
【請求項９】
前記表示ユニットが前記本体に対して開放位置から閉塞位置に移行した場合、当該情報処理装置に外部ディスプレイ装置が接続されているか否かを判別し、
当該情報処理装置に前記外部ディスプレイが接続されている場合、前記グラフィックスコントローラの動作モードを、前記最低電圧をグラフィックスコントローラに供給する動作モードに移行させないことを特徴とする請求項７記載の消費電力制御方法。
【請求項１０】
前記表示ユニットが前記本体に対して開放位置から閉塞位置に移行した場合、前記表示ユニットが前記本体に対して開放位置にある時の前記グラフィックスコントローラの動作モードを記憶することを特徴とする請求項７記載の消費電力制御方法。
【請求項１１】
前記最低電圧をグラフィックスコントローラに供給する動作モードは、前記表示ユニットが前記本体に対して開放位置にある時に前記グラフィックスコントローラに供給される動作周波数の値よりも小さい値を有する動作周波数が前記グラフィックスコントローラに供給される動作モードであることを特徴とする請求項７記載の情報処理装置。
【請求項１２】
前記表示ユニットが前記本体に対して閉塞位置から開放位置に移行した場合、前記最低電圧をグラフィックスコントローラに供給する動作モードから前記記憶手段によって記憶されている動作モードに移行させることを特徴とする請求項１０記載の情報処理装置。
【発明の詳細な説明】
【技術分野】
【０００１】
本発明は、グラフィックスコントローラを搭載した情報処理装置およびグラフィックスコントローラを搭載した情報処理装置にて実行される消費電力制御方法に関する。
【背景技術】
【０００２】
近年、外出先や移動中などに利用されることを前提としたバッテリ駆動可能な情報処理装置が開発されている。この種の情報処理装置では、バッテリ駆動時間を少しでも長くするための様々な技術が採用されている。
【０００３】
例えば、表示パネルを閉じた時に、バックライトをオフ、パネル信号の出力を停止およびパネル電源の出力を停止させる電子機器があった（特許文献１参照。）。
【特許文献１】特開２００３−２２３２４６号公報（第５頁、第４図）
【発明の開示】
【発明が解決しようとする課題】
【０００４】
特許文献１では、表示部を使用しない場合における表示部により消費される電力を低減する技術が開示されているが、グラフィックスコントローラを考慮した、表示部により消費される電力を低減する技術が開示されていない。
【０００５】
そこで、本発明は、表示部の未使用時におけるグラフィックスコントローラによる消費電力を考慮した情報処理装置および該情報処理装置にて実行される消費電力制御方法を提供することを目的とする。
【課題を解決するための手段】
【０００６】
上記目的を達成するために、請求項１に係る発明の情報処理装置は、本体と、前記本体に回動可能に接続され表示部を有する表示ユニットと、前記表示部に表示されるイメージを生成するグラフィックスコントローラと、前記表示ユニットが前記本体に対して開放位置から閉塞位置に移行した場合、前記グラフィックスコントローラの動作モードを、前記グラフィックスコントローラの動作が保証される電圧のうち最低電圧を前記グラフィックスコントローラに供給する動作モードに移行させる移行手段と、を具備することを特徴とする。
【０００７】
また、請求項７に係る発明の消費電力制御方法は、本体と、前記本体に回動可能に接続され表示部を有する表示ユニットと、前記表示部に表示されるイメージを生成するグラフィックスコントローラとを具備する情報処理装置にて実行される消費電力制御方法において、前記表示ユニットが前記本体に対して開放位置から閉塞位置に移行したことを検知し、前記グラフィックスコントローラの動作モードを、前記グラフィックスコントローラの動作が保証される電圧のうち最低電圧を前記グラフィックスコントローラに供給する動作モードに移行させることを特徴とする。
【発明の効果】
【０００８】
本発明によれば、表示部の未使用時におけるグラフィックスコントローラによる消費電力を考慮した情報処理装置および該情報処理装置にて実行される消費電力制御方法を提供することが可能である。
【発明を実施するための最良の形態】
【０００９】
以下本発明に係る実施の形態を、図面を参照して説明する。
【００１０】
図１は、ノートブック型パーソナルコンピュータ（以下、コンピュータと称す。）１のディスプレイユニット３を本体２に対して開いた状態の一例を示す図である。
【００１１】
コンピュータ１は本体２とディスプレイユニット３とから構成される。ディスプレイユニット３には、ＬＣＤ（Liquid Crystal Display）（表示部）４を有する表示装置が組み込まれており、ＬＣＤ４はディスプレイユニット３のほぼ中央に位置される。
【００１２】
ディスプレイユニット３は、本体２に対して開放位置と閉塞位置との間を回動自在に取り付けられている。本体２は略箱形の形状を有しており、本体２の上面にはキーボードユニット５、コンピュータ１の電源をオン／オフするためのパワーボタン６等が配置されている。パワーボタン６はコンピュータ１を使用開始する際、押し下げ操作される。
【００１３】
次に、図２を参照して、コンピュータ１のハードウェア構成の一例について説明する。
【００１４】
ホストハブ（第１のブリッジ回路）１１には、ＣＰＵ１０、メインメモリ１３、グラフィックスコントローラ１５およびＩ／Ｏハブ２０が接続されている。
【００１５】
ホストハブ１１はシステムバス１２を介してＣＰＵ１０と接続される。ホストハブ１１はメインメモリ１３へのアクセスを制御するメモリコントローラを内蔵する。
【００１６】
ＣＰＵ１０はコンピュータ１の動作を制御するメインプロセッサである。ＣＰＵ１０は外部記憶装置であるハードディスクドライブ（ＨＤＤ）２１からメモリバス１４を介してメインメモリ１３にロードされる、オペレーティングシステム（ＯＳ）および各種アプリケーション／ユーティリティプログラムを実行する。また、ＣＰＵ１０はＢＩＯＳ−ＲＯＭ２７からメインメモリ２３にロードされるＢＩＯＳ（Basic Input Output System）２７ａを実行する。
【００１７】
ホストハブ１１にＡＧＰ（Accelerated Graphics Port）バス１６を介して接続されるグラフィクスコントローラ１５はＬＣＤ４にデジタル表示信号を出力する。グラフィクスコントローラ１５にはビデオメモリ（ＶＲＡＭ）１７が接続されており、グラフィックスコントローラ１５はＯＳ／アプリケーションプログラムによってビデオメモリ１７に描画されたイメージデータをＬＣＤ４に表示する。
【００１８】
グラフィックスコントローラ１５について、さらに説明する。
【００１９】
通常、グラフィックスコントローラ１５の動作モードの切り替えは、ユーザによる商用電源駆動／二次電池駆動の切り替え、本体２に対するディスプレイユニット３の開放動作／閉塞動作の切り替えに応じてなされる。
【００２０】
この動作モードは、例えば、グラフィックスコントローラ１５に供給される動作周波数に応じた動作モード、グラフィックスコントローラ１５にて消費される消費電力に応じた動作モード等である。一般に、これらの動作モードは、夫々、ユーザによって設定されることが可能である。
【００２１】
例えば、ユーザがユーティリティを用いて、「商用電源駆動時においては第１の動作周波数をグラフィックスコントローラ１５に供給し、二次電池駆動時においては第１の動作周波数の値よりも小さい値を有する第２の動作周波数をグラフィックスコントローラ１５に供給する」といった具合に動作モードを設定する。
【００２２】
一方、ユーザによって設定可能であるグラフィックスコントローラ１５の動作モードとは別に、グラフィックスコントローラ１５はユーザによって設定することが不可能な動作モードであるＡｌｅｒｔモードをサポートしている。
【００２３】
Ａｌｅｒｔモードとは、グラフィックスコントローラ１５が発生する熱によってグラフィックスコントローラ１５の機能が崩壊するメルトダウンを防止するために設けられるモードである。Ａｌｅｒｔモードは、グラフィックスコントローラ１５の温度が異常と判断される温度に達した場合に、通常のグラフィックスコントローラの動作モードから自動的に移行されるモードである。
【００２４】
Ａｌｅｒｔモード時にグラフィックスコントローラ１５に供給される動作周波数の値は、グラフィックスコントローラ１５の特性に依存する。また、Ａｌｅｒｔモード時では、グラフィックスコントローラ１５に供給される動作周波数の値は、通常の動作モード時にグラフィックスコントローラ１５に供給される動作周波数の値よりも小さい。例えば、Ａｌｅｒｔモード時にグラフィックスコントローラ１５に供給される動作周波数の値は、通常の動作モード時にグラフィックスコントローラ１５に供給される動作周波数の値の１／４といった具合である。Ａｌｅｒｔモード時のグラフィックスコントローラ１５に供給される動作周波数は、例えば、ビデオ再生を行うと、こま落ちが生じる、画面が波打つ程度の動作周波数である。
【００２５】
さらに、Ａｌｅｒｔモード時では、グラフィックスコントローラ１５に供給される電圧の値が、グラフィックスコントローラ１５の動作が保証される最低の値となる。すなわち、Ａｌｅｒｔモード時では、グラフィックスコントローラ１５にて消費される電力は最低の値となる。ホストハブ１１に接続されているデバイスの説明に戻る。
【００２６】
ホストハブ１１と例えばハブインターフェイスといった専用バスで接続されるＩ／Ｏハブ（第二のブリッジ回路）２０は、ＰＣＩ（Peripheral Component Interconnect）バス２３上の各デバイスおよびＬＰＣ（low pin count）バス２６上の各デバイスを制御する。
【００２７】
Ｉ／Ｏハブ２０には外部記憶装置であるＨＤＤ２１を制御するためのＩＤＥ（Integrated Drive Electronics）コントローラパラレルＡＴＡコントローラ、およびＵＳＢ３６を制御するためのＵＳＢコントローラが内蔵される。
【００２８】
ＨＤＤ２１およびＯＤＤ２７はＩ／Ｏハブ２０とパラレルＡＴＡ２１ａを介して接続される。ＨＤＤ２１には、オペレーティングシステム（ＯＳ）、各種アプリケーション／ユーティリティプログラムおよびアプリケーションプログラムを使用することでユーザが作成したデータ等が記憶される。
【００２９】
オーディオコーディック２３はＩ／Ｏハブ２０とＡＣ（Ａｕｄｉｏ  Ｃｏｄｅｃ）９７（２２）を介して接続される。オーディオコーディック２３は、サウンド入出用のコーディックの一種である。オーディオコーディック２３は、入出力されるサウンドのコーディック部とアナログモデムのデータ処理部等を有する。
【００３０】
オーディオコーディック２３にはモデム２４およびＡＭＰ２５ａが接続される。ＡＭＰ２５ａはオーディオコーディック２３にて生成されたサウンド信号を増幅する。ＡＭＰ２５ａによって増幅されたサウンド信号はスピーカ８に送出され、スピーカ８は可聴周波数帯の音波を出力する。
【００３１】
モデム２４はデジタル信号からアナログ信号への変調処理、およびアナログ信号からデジタル信号への復調処理等を行う。
【００３２】
ＬＰＣバス２６上にはエンベデッドコントローラ／キーボードコントローラＩＣ（ＥＣ／ＫＢＣ）２３が接続される。
【００３３】
エンベデッドコントローラ／キーボードコントローラＩＣ（ＥＣ／ＫＢＣ）２８は、電力管理等を行うためのエンベデッドコントローラと、キーボード（ＫＢ）ユニット５を制御するためのキーボードコントローラとが集積された１チップマイクロコンピュータである。
【００３４】
ＥＣ／ＫＢＣ２８にはパワーボタン６とＰＳＣ（Ｐｏｗｅｒ  Ｓｕｐｐｌｙ  Ｃｏｔｒｏｌｌｅｒ）とが接続されている。
【００３５】
ユーザがパワーボタン６を操作すると、ＥＣ／ＫＢＣ２８はパワーボタン６が操作されたことを検出する。ＥＣ／ＫＢＣ２８は、パワーボタン６が操作されたことを検出すると、例えば本コンピュータ１のシステムに対して電源供給を開始するようにＰＳＣ３０に通知する。ＰＳＣ３０はＥＣ／ＫＢＣ２８から受け取った通知に基いて、ＡＣアダプタ３１または二次電池３２からコンピュータ１のシステムに対して電源供給を開始するように制御する。
【００３６】
ＰＳＣ３０は、ＡＣアダプタ３１がコンピュータ１から取り外されたことを検出する。さらにＰＳＣ３０はＡＣアダプタ３１がコンピュータ１から取り外されたことを、ＥＣ／ＫＢＣ２８に通知する。
【００３７】
次に、ディスプレイユニット３を本体２に対して開放している状態から閉塞している状態に移行させた場合におけるグラフィックスコントローラ１５の動作モード切り替え方法の一例について説明する。
【００３８】
図３は、ディスプレイユニット３を本体２に対して開放している状態から閉塞している状態に移行させた場合におけるグラフィックスコントローラ１５の動作モード切り替え方法の一例を説明する流れ図である。
【００３９】
ディスプレイユニット３を本体２に対して開放している状態から閉塞している状態に移行させる（ステップ  Ｓ１０）。
【００４０】
Ｓｙｓｔｅｍ  ＢＩＯＳは、ディスプレイユニット３が本体２に対して閉塞している状態にあることを検知する（ステップ  Ｓ１１）。さらに、Ｓｙｓｔｅｍ  ＢＩＯＳはＡＣＰＩ  Ｅｖｅｎｔを発生する（ステップ  Ｓ１２）。
【００４１】
ＯＳはＡＣＰＩ  Ｅｖｅｎｔを拾い、ディスプレイユニット３が本体２に対して閉塞している状態であることを示すＭｅｓｓａｇｅをＤｉｓｐｌａｙ  Ｄｒｉｖｅｒに通知する（ステップ  Ｓ１３）。
【００４２】
Ｄｉｓｐｌａｙ  Ｄｒｉｖｅｒは、ディスプレイユニット３が本体２に対して閉塞している状態であることを示すＭｅｓｓａｇｅを受け取ると、ディスプレイユニット３が本体２に対して開放している状態時におけるグラフィックスコントローラ１５の動作モード（現在の動作モード）を記憶する（ステップ  Ｓ１４）。
【００４３】
さらに、Ｄｉｓｐｌａｙ  Ｄｒｉｖｅｒは、例えばＣＲＴといった外部ディスプレイ装置に映像信号が出力されているか否かを検出する（ステップ  Ｓ１５）。
【００４４】
外部ディスプレイ装置に映像信号が出力されている場合(ステップ  Ｓ１５  Ｙｅｓ)、Ｄｉｓｐｌａｙ  Ｄｒｉｖｅｒは、グラフィックコントローラ１５の動作モードをＡｌｅｒｔモードに移行させない。すなわち、グラフィックスコントローラ１５の動作モードは、本体２に対してディスプレイユニット３が開放位置にある状態時の動作モードのままである（ステップ  Ｓ１６）。
【００４５】
一方、外部ディスプレイ装置に映像信号が出力されていない場合（ステップ  Ｓ１５  Ｎｏ）、Ｄｉｓｐｌａｙ  Ｄｒｉｖｅｒは、グラフィックスコントローラ１５の動作モードをＡｌｅｒｔモードに移行させる（ステップ  Ｓ１７）。
【００４６】
本体２に対するディスプレイユニット３の位置を閉塞位置にした時、グラフィックスコントローラ１５の動作モードをＡｌｅｒｔモードに移行させることで、グラフィックスコントローラ１５の低電圧化を図ることが可能となり、ひいてはバッテリ駆動時間を延長させることが可能となる。さらに、グラフィックスコントローラ１５の発熱量を抑制することが可能となり、本体２の温度上昇を抑えることが可能となる。さらに、グラフィックスコントローラ１５の発熱量を抑制することが可能となり、グラフィックスコントローラ１５を冷却するために駆動されるファンの静音化を図ることが可能となる。
【００４７】
次に、ディスプレイユニット３を本体２に対して閉塞している状態から開放している状態に移行させた場合におけるグラフィックスコントローラ１５の動作モード切り替え方法の一例について説明する。
【００４８】
図４は、ディスプレイユニット３を本体２に対して閉塞している状態から開放している状態に移行させた場合におけるグラフィックスコントローラ１５の動作モード切り替え方法の一例について説明する流れ図である。
【００４９】
ディスプレイユニット３を本体２に対して閉塞している状態から開放している状態に移行させる（ステップ  Ｓ２０）。
【００５０】
Ｓｙｓｔｅｍ  ＢＩＯＳは、ディスプレイユニット３が本体２に対して開放している状態にあることを検知する（ステップ  Ｓ２１）。さらに、Ｓｙｓｔｅｍ  ＢＩＯＳはＡＣＰＩ  Ｅｖｅｎｔを発生する（ステップ  Ｓ２２）。
【００５１】
ＯＳはＡＣＰＩ  Ｅｖｅｎｔを拾い、ディスプレイユニット３が本体２に対して開放している状態であることを示すＭｅｓｓａｇｅをＤｉｓｐｌａｙ  Ｄｒｉｖｅｒに通知する（ステップ  Ｓ２３）。
【００５２】
Ｄｉｓｐｌａｙ  Ｄｒｉｖｅｒは、ディスプレイユニット３が本体２に対して開放している状態であることを示すＭｅｓｓａｇｅを受け取ると、グラフィックスコントローラ１５の現在の動作モードを確認する（ステップ  Ｓ２４）
【００５３】
グラフィックスコントローラ１５の現在の動作モードがＡｌｅｒｔモードである場合(ステップ  Ｓ２５  Ｙｅｓ)、Ｄｉｓｐｌａｙ  Ｄｒｉｖｅｒは、グラフィックコントローラ１５の動作モードをＡｌｅｒｔモードからディスプレイパネル３の開放状態時におけるグラフィックスコントローラ１５の動作モード（この動作モードは記憶されている）に移行させる（ステップ  Ｓ２６）。
【００５４】
一方、グラフィックスコントローラ１５の現在の動作モードがＡｌｅｒｔモードではない場合（ステップ  Ｓ１５  Ｎｏ）、Ｄｉｓｐｌａｙ  Ｄｒｉｖｅｒはグラフィックスコントローラ１５の動作モードを、ディスプレイユニット３の開放状態時における動作モード（この動作モードは記憶されている）とする（ステップ  Ｓ２７）。次に、変形例を説明する。
【００５５】
図５は、ディスプレイユニット３を本体２に対して開放している状態から閉塞している状態に移行させた場合におけるグラフィックスコントローラ１５の動作モード切り替え方法の変形例を説明する流れ図である。
【００５６】
ディスプレイユニット３を本体２に対して開放している状態から閉塞している状態に移行させる（ステップ  Ｓ３０）。
【００５７】
Ｓｙｓｔｅｍ  ＢＩＯＳは、ディスプレイユニット３が本体２に対して閉塞している状態にあることを検知する（ステップ  Ｓ３１）。
【００５８】
さらに、Ｓｙｓｔｅｍ  ＢＩＯＳは、例えばＣＲＴといった外部ディスプレイ装置に映像信号が出力されているか否かを検出する（ステップ  Ｓ３２）。
【００５９】
外部ディスプレイ装置に映像信号が出力されている場合(ステップ  Ｓ３２  Ｙｅｓ)、Ｓｙｓｔｅｍ  ＢＩＯＳは、グラフィックコントローラ１５の動作モードをＡｌｅｒｔモードに移行させない。すなわち、グラフィックスコントローラ１５の動作モードは、本体２に対してディスプレイユニット３が開放位置にある状態時の動作モードのままである（ステップ  Ｓ３３）。
【００６０】
一方、外部ディスプレイ装置に映像信号が出力されていない場合（ステップ  Ｓ３２  Ｎｏ）、Ｓｙｓｔｅｍ  ＢＩＯＳは、ＥＣ／ＫＢＣ２８を介して熱検知ＩＣにグラフィックスコントローラの動作モードをＡｌｅｒｔモードに移行させるよう通知する（ステップ  Ｓ３４）。
【００６１】
熱検知ＩＣは、グラフィックスコントローラ１５の動作モードをＡｌｅｒｔモードに移行させる（ステップ  Ｓ３５）。
【００６２】
図６は、ディスプレイユニット３を本体２に対して閉塞している状態から開放している状態に移行させた場合におけるグラフィックスコントローラ１５の動作モード切り替え方法の変形例を説明する流れ図である。
【００６３】
ディスプレイユニット３を本体２に対して閉塞している状態から開放している状態に移行させる（ステップ  Ｓ４０）。
【００６４】
Ｓｙｓｔｅｍ  ＢＩＯＳは、ディスプレイユニット３が本体２に対して開放している状態にあることを検知する（ステップ  Ｓ４１）。
【００６５】
さらに、Ｓｙｓｔｅｍ  ＢＩＯＳは、グラフィックスコントローラ１５の現在の動作モードを確認する（ステップ  Ｓ４２）。
【００６６】
グラフィックスコントローラ１５の現在の動作モードがＡｌｅｒｔモードでない場合(ステップ  Ｓ４２  Ｙｅｓ)、Ｓｙｓｔｅｍ  ＢＩＯＳは、グラフィックコントローラ１５の動作モードをディスプレイパネル３の開放状態時におけるグラフィックスコントローラ１５の動作モードとする（ステップ  Ｓ４３）。
【００６７】
一方、グラフィックスコントローラ１５の現在の動作モードがＡｌｅｒｔモードである場合（ステップ  Ｓ４２  Ｎｏ）、Ｓｙｓｔｅｍ  ＢＩＯＳは、ＥＣ／ＫＢＣ２８を介して熱検知ＩＣに対してグラフィックスコントローラの動作モードをＡｌｅｒｔモードからディスプレイパネル３の開放状態時におけるグラフィックスコントローラ１５の動作モードに移行させるように通知する（ステップ  Ｓ４４）。
【００６８】
熱検知ＩＣは、グラフィックスコントローラ１５の動作モードをＡｌｅｒｔモードからディスプレイパネル３の開放状態時におけるグラフィックスコントローラ１５の動作モードに移行させる（ステップ  Ｓ４５）。
【００６９】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００７０】
【図１】ノートブック型パーソナルコンピュータのディスプレイユニットを本体に対して開いた状態の一例を示す図。
【図２】コンピュータのハードウェア構成の一例について説明する図。
【図３】ディスプレイユニット３を本体２に対して開放している状態から閉塞している状態に移行させた場合におけるグラフィックスコントローラ１５の動作モード切り替え方法の一例を説明する流れ図。
【図４】ディスプレイユニット３を本体２に対して閉塞している状態から開放している状態に移行させた場合におけるグラフィックスコントローラ１５の動作モード切り替え方法の一例について説明する流れ図。
【図５】ディスプレイユニット３を本体２に対して開放している状態から閉塞している状態に移行させた場合におけるグラフィックスコントローラ１５の動作モード切り替え方法の変形例を説明する流れ図。
【図６】ディスプレイユニット３を本体２に対して閉塞している状態から開放している状態に移行させた場合におけるグラフィックスコントローラ１５の動作モード切り替え方法の変形例を説明する流れ図。
【符号の説明】
【００７１】
１…コンピュータ、２…本体、３…ディスプレイユニット、
１５…グラフィックスコントローラ、２８…ＥＣ／ＫＢＣ
【図１】
2007034971.tif 000003
【図２】
2007034971.tif 000004
【図３】
2007034971.tif 000005
【図４】
2007034971.tif 000006
【図５】
2007034971.tif 000007
【図６】
2007034971.tif 000008